(57)【要約】【課題】回転ドラムを備えた篩機で処理物を選別するに際し、その選別の粒径の境界を容易に変更できるようにする。【解決手段】第一の透孔群１１を備えた第一回転ドラム１０と、第一の透孔群１１よりも最大径が小さい第二の透孔群２１を備えた第二回転ドラム２０と、第一回転ドラム１０に対して処理物を投入する投入部２と、投入部２から投入されて第一の透孔群１１を通過しない処理物を排出する第一排出部Ａと、第一の透孔群１１を通過して第二の透孔群２１を通過しない処理物を排出する第二排出部Ｂと、第一の透孔群１１及び第二の透孔群２１を通過した処理物を排出する第三排出部Ｃと、第二排出部Ｂから排出された処理物を少なくとも第一排出部Ａ側の第一シュートＸ又は第三排出部Ｃ側の第二シュートＹへ選択的に導く機能を有する切替手段３０とを備える篩機１とした。【選択図】図１
2019093314.tif 000002
【特許請求の範囲】
【請求項１】
第一の透孔群（１１）を備えた第一回転ドラム（１０）と、
前記第一の透孔群（１１）よりも最大径が小さい第二の透孔群（２１）を備えた第二回転ドラム（２０）と、
前記第一回転ドラム（１０）に対して処理物を投入する投入部（２）と、
前記投入部（２）から投入されて前記第一の透孔群（１１）を通過しない処理物を排出する第一排出部（Ａ）と、
前記第一の透孔群（１１）を通過して前記第二の透孔群（２１）を通過しない処理物を排出する第二排出部（Ｂ）と、
前記第一の透孔群（１１）及び前記第二の透孔群（２１）を通過した処理物を排出する第三排出部（Ｃ）と、
前記第二排出部（Ｂ）から排出された処理物を少なくとも前記第一排出部（Ａ）側の第一シュート（Ｘ）又は前記第三排出部（Ｃ）側の第二シュート（Ｙ）へ選択的に導く機能を有する切替手段（３０）と、
を備える篩機。
【請求項２】
前記第一回転ドラム（１０）の外周面と前記第二回転ドラム（２０）の内周面との間に別の回転ドラムを配置し、
前記別の回転ドラムは前記第一の透孔群（１１）の最大径と前記第二の透孔群（２１）の最大径との間の最大径を有する透孔群を備え、
前記第二排出部（Ｂ）は前記別の回転ドラムの透孔群を通過しない処理物を排出する大径排出部と前記別の回転ドラムの透孔群を通過する処理物を排出する小径排出部とに分割されて、
前記切替手段（３０）は前記大径排出部及び前記小径排出部から排出された処理物を前記第一シュート（Ｘ）又は前記第二シュート（Ｙ）のいずれかへ、あるいは、前記大径排出部から排出された処理物を前記第一シュート（Ｘ）へ且つ前記小径排出部から排出された処理物を前記第二シュート（Ｙ）へ導く機能を有する
請求項１に記載の篩機。
【請求項３】
前記切替手段（３０）は前記第二排出部（Ｂ）から排出された処理物を前記第一シュート（Ｘ）及び前記第二シュート（Ｙ）とは別の第三シュート（Ｚ）へ導く機能を有する
請求項１又は２に記載の篩機。
【請求項４】
前記第二回転ドラム（２０）は前記第一回転ドラム（１０）の外周に配置され、
前記投入部（２）は前記第一回転ドラム（１０）の内周部の軸方向一端に配置され、
前記第一排出部（Ａ）は前記第一回転ドラム（１０）の内周部の軸方向一端又は他端に配置され、
前記第二排出部（Ｂ）は前記第一回転ドラム（１０）の外周面と前記第二回転ドラム（２０）の内周面との間の軸方向一端又は他端に配置され、
前記第三排出部（Ｃ）は前記第二回転ドラム（２０）の外周部に配置される
請求項１から３のいずれか一つに記載の篩機。
【請求項５】
前記切替手段（３０）はアクチュエータ（３２）によって動作する誘導板（３１）によって前記第二排出部（Ｂ）から排出された処理物を導く
請求項１から４のいずれか一つに記載の篩機。
【発明の詳細な説明】
【技術分野】
【０００１】
この発明は、回転ドラムを備えた篩機に関するものである。
【背景技術】
【０００２】
砕石や鉱石、その他塊状物、粒状物等の種々の処理物を、その粒径に応じて選別する装置として、回転ドラムを備えた篩（ふるい）機が備えられることがある。この篩機はトロンメルとも呼ばれ、例えば、ボールミルやロッドミル等の粉砕機、破砕機の下流側に備えられ、粉砕や破砕を終えた処理物を、さらにその大きさ（粒径）に応じて選別している。
【０００３】
篩機の構成は、多数の透孔を側面に備えた筒状の回転ドラムを横向きにして用い、その回転ドラムを筒軸回りに回転させながら、処理物を、透孔を通過するものと、透孔を通過しないものとに分けている（例えば、特許文献１〜４参照）。
【先行技術文献】
【特許文献】
【０００４】
【特許文献１】特開２００４−１５４７１９号公報（第３頁段落００１２、図１等参照）
【特許文献２】特開２０１２−１３０８７７号公報（第１０頁段落００４２、図５等参照）
【特許文献３】特開２０１５−１３４３１７号公報（第４頁段落００１８、図１等参照）
【特許文献４】特開２００４−２９８８３５号公報（第３頁段落００１１、図１等参照）
【発明の概要】
【発明が解決しようとする課題】
【０００５】
上記の回転ドラムを備えた篩機では、処理物を、回転ドラムの透孔を通過するものと透孔を通過しないものとに選別、すなわち粒径に応じて２段階（２種類）に選別することができる。
【０００６】
しかし、この装置において、処理物を２段階に選別する粒径の境界を変更するには、回転ドラムに取り付けられた網を、透孔の大きさが異なる別の網に変更しなければならないという問題がある。網の交換には手間を要し、また、交換の都度、設備を停止するのは運用上好ましくない。
【０００７】
そこで、この発明の課題は、回転ドラムを備えた篩機で処理物を選別するに際し、その選別の粒径の境界を容易に変更できるようにすることである。
【課題を解決するための手段】
【０００８】
上記の課題を解決するために、この発明は、第一の透孔群を備えた第一回転ドラムと、前記第一の透孔群よりも最大径が小さい第二の透孔群を備えた第二回転ドラムと、前記第一回転ドラムに対して処理物を投入する投入部と、前記投入部から投入されて前記第一の透孔群を通過しない処理物を排出する第一排出部と、前記第一の透孔群を通過して前記第二の透孔群を通過しない処理物を排出する第二排出部と、前記第一の透孔群及び前記第二の透孔群を通過した処理物を排出する第三排出部と、前記第二排出部から排出された処理物を少なくとも前記第一排出部側の第一シュート又は前記第三排出部側の第二シュートへ選択的に導く機能を有する切替手段と、を備える篩機を採用した。
【０００９】
このとき、前記第一回転ドラムの外周面と前記第二回転ドラムの内周面との間に別の回転ドラムを配置し、前記別の回転ドラムは前記第一の透孔群の最大径と前記第二の透孔群の最大径との間の最大径を有する透孔群を備え、前記第二排出部は前記別の回転ドラムの透孔群を通過しない処理物を排出する大径排出部と前記別の回転ドラムの透孔群を通過する処理物を排出する小径排出部とに分割されて、前記切替手段は前記大径排出部及び前記小径排出部から排出された処理物を前記第一シュート又は前記第二シュートのいずれかへ、あるいは、前記大径排出部から排出された処理物を前記第一シュートへ且つ前記小径排出部から排出された処理物を前記第二シュートへ導く機能を有する構成を採用することができる。
【００１０】
これらの各態様において、前記切替手段は前記第二排出部から排出された処理物を前記第一シュート及び前記第二シュートとは別の第三シュートへ導く機能を有する構成を採用することができる。
【００１１】
これらの各態様において、前記第二回転ドラムは前記第一回転ドラムの外周に配置され、前記投入部は前記第一回転ドラムの内周部の軸方向一端に配置され、前記第一排出部は前記第一回転ドラムの内周部の軸方向一端又は他端に配置され、前記第二排出部は前記第一回転ドラムの外周面と前記第二回転ドラムの内周面との間の軸方向一端又は他端に配置され、前記第三排出部は前記第二回転ドラムの外周部に配置される構成を採用することができる。
【００１２】
また、前記切替手段は、アクチュエータによって動作する誘導板によって前記第二排出部から排出された処理物を導く構成を採用することができる。
【発明の効果】
【００１３】
この発明は、互いに異なる径の透孔を有する第一回転ドラム、第二回転ドラムを用いて、処理物を粒径に応じて順に第一排出部、第二排出部と、第三排出部に選別して排出するようにし、このうち、第二排出部から排出された処理物を切替手段によって第一排出部側や第三排出部側へ導くようにしたので、処理物の選別の粒径の境界を容易に変更できるようになる。
【図面の簡単な説明】
【００１４】
【図１】この発明の一実施形態を示す縦断面図
【図２】図１の要部拡大図
【図３】（ａ）は他の実施形態の要部拡大図、（ｂ）は参考図
【図４】さらに他の実施形態を示す要部拡大図
【発明を実施するための形態】
【００１５】
この発明の一実施形態を図面に基づいて説明する。この実施形態は、図１に示すように、多数のボールＮを用いて処理物を破砕するボールミルＭの下流側に備えられ、ボールミルＭで破砕を終えた処理物を、さらにその大きさ（粒径）に応じて選別する回転ドラム式の篩機１である。
【００１６】
ボールミルＭは、モータ等の駆動源Ｄからの回転力がローラＲを通じてミル本体に伝達され、ミル本体が回転するようになっている。ミル本体の回転によって、内部に収容したボールＮと処理物とが衝突して、処理物が細かく破砕される。破砕された処理物は、ミル排出部から篩機１へ送り込まれる。
【００１７】
篩機１の構成は、多数の透孔１１，２１を側面に備えた複数の筒状の回転ドラム１０，２０を、その筒軸方向が横向きにして用い、各回転ドラム１０，２０を筒軸回りに回転させながら、処理物を、透孔１１，２１を通過するものと、透孔１１，２１を通過しないものとに選別するものである。
【００１８】
この実施形態では、二つの回転ドラム１０，２０を用いている。具体的には、第一の透孔群１１を備えた第一回転ドラム１０と、その第一回転ドラム１０の外周に配置され第二の透孔群２１を備えた第二回転ドラム２０とを備えている。
【００１９】
第一回転ドラム１０の第一の透孔群１１の透孔の最大径はｗ１であり、第二回転ドラム２０の第二の透孔群２１の透孔の最大径はｗ２（ｗ２＜ｗ１）となっている。なお、第一の透孔群１１の透孔の径は全て最大径ｗ１で統一されており、第二の透孔群２１の透孔の径も全て最大径ｗ２で統一されている。
【００２０】
また、この実施形態では、二つの回転ドラム１０，２０を同軸状として、第一回転ドラム１０の筒軸と第二回転ドラム２０の筒軸とを一直線上に位置させているが、両者の筒軸同士の位置関係は、篩機の仕様や用途に応じて変更してもよい。
【００２１】
第一回転ドラム１０の筒軸方向一端には、その第一回転ドラム１０の内周部（第一回転ドラム１０の内側の空間）に対して処理物を投入する投入部２が配置されている。投入部２は、ボールミルＭのミル排出部に接続されている。
【００２２】
投入部２から投入された処理物は、第一の透孔群１１を通過しない処理物と第一の透孔群１１を通過する処理物とに分けられる。第一の透孔群１１を通過しない処理物は、第一回転ドラム１０の内周部の筒軸方向他端に設けられた第一排出部Ａから排出される。第一の透孔群１１を通過した処理物は、第二回転ドラム２０の内周部（第一回転ドラム１０の外周面と第二回転ドラム２０の内周面との間の空間）に移動する。
【００２３】
なお、第一排出部Ａは、第一回転ドラム１０の内周部における投入部２と同じ側、すなわち、筒軸方向一端に配置されていてもよい。この場合、第一回転ドラム１０の内周部の筒軸方向一端において、投入部２を上方側に、第一排出部Ａを下方側に配置するとよい。
【００２４】
第二回転ドラム２０の内周部に移動した処理物は、第二の透孔群２１を通過しない処理物と第二の透孔群２１を通過する処理物とに分けられる。第二の透孔群２１を通過しない処理物は、第二回転ドラム２０の内周部の筒軸方向他端に設けられた第二排出部Ｂから排出される。
【００２５】
なお、この実施形態では、第二回転ドラム２０の内周部における筒軸方向一端は端面板３で閉じられているが、第二排出部Ｂを、第二回転ドラム２０の内周部の筒軸方向一端に配置してもよい。
【００２６】
第二の透孔群２１を通過した処理物は、第二回転ドラム２０の外周部（第二回転ドラム２０の外周面よりも外側）に排出される。この第二回転ドラム２０の外周部を処理物の第三排出部Ｃと称する。第三排出部Ｃからは、第一の透孔群１１及び第二の透孔群２１の両方を通過した処理物が排出されることとなる。すなわち、各排出部から排出される処理物の粒径は、第一排出部Ａ（粒径≧ｗ１）、第二排出部Ｂ（ｗ１＞粒径≧ｗ２）、第三排出部Ｃ（ｗ２＞粒径）となる。
【００２７】
第二排出部Ｂには、その第二排出部Ｂから排出された処理物を、少なくとも第一排出部Ａ側の第一シュートＸ又は第三排出部Ｃ側の第二シュートＹへ選択的に導く機能を有する切替手段３０が備えられている。
【００２８】
この実施形態では、切替手段３０は、アクチュエータ３２によって動作する誘導板３１によって、第二排出部Ｂから排出された処理物を、第一排出部Ａ側の第一シュートＸ又は第三排出部Ｃ側の第二シュートＹへ選択的に導くことができる。切替手段３０によって第一排出部Ａ側へ導かれた処理物は、第一排出部Ａから排出された処理物とともに第一シュートＸを経て次工程へ移動していく。また、切替手段３０によって第三排出部Ｃ側へ導かれた処理物は、第三排出部Ｃから排出された処理物とともに第二シュートＹを経て次工程へ移動していく。
【００２９】
このように、第二排出部Ｂから排出された処理物を、第一排出部Ａ側の第一シュートＸ又は第三排出部Ｃ側の第二シュートＹへ選択的に導くことにより、篩機１で２つに選別される処理物の粒径の境界を、ｗ１とｗ２とに容易に切り替えることができる。これにより、選別の粒径を変更するに際し、回転ドラムの網の交換を不要とできる。
【００３０】
すなわち、切替手段３０を第一排出部Ａ側に切り替えれば、２つのグループに選別される処理物の粒径の境界は、第一回転ドラム１０の透孔１１の最大径ｗ１となり、切替手段３０を第三排出部Ｃ側に切り替えれば、２つのグループに選別される処理物の粒径の境界は、第二回転ドラム２０の透孔２１の最大径ｗ２となる。
【００３１】
アクチュエータ３２としては、通電によってロッドが進退する電動式アクチュエータのほか、流体の圧力によってロッドが進退する流体式アクチュエータ等の種々のものを採用できる。また、切替手段３０の駆動源としては、ロッドを進退させるアクチュエータ以外にも、モータや内燃機関の駆動力を採用してもよい。また、手動で誘導板３１を動作させる操作部を設けてもよい。
【００３２】
また、投入部２には、第一の透孔群１１の透孔よりもその最大径が大きく、且つ、ボールＮを通過させない径（最大径ｗ０とする。ボール径≧ｗ０）の第三の透孔群５ａを有するボール捕捉手段５を備えている。このボール捕捉手段５を備えたことにより、篩機１内にボールＮが侵入することが抑制されている。なお、ボールＮが摩耗して粒径が小さくなると、そのボールＮは第三の透孔群５ａの透孔を通過することとなる。しかし、ボールＮは鉄等の磁性材料であるので、その後は磁石の磁力を利用して処理物から分離することができる。例えば、第三の透孔群５ａの透孔を通過したボールＮの径がｗ０＞ボール径＞ｗ１であれば、そのボールＮは、第一排出部Ａより処理物とともに排出される。なお、ボールＮはボールミルＭ内に適宜補充される。
【００３３】
この実施形態では、第一回転ドラム１０、第二回転ドラム２０は、それぞれ筒軸方向端部に設けられた各排出部Ａ，Ｂへ向かって徐々に内径が拡がるテーパ状となっており、その各排出部Ａ，Ｂへ向かって底面が下り勾配となっていることから、処理物の排出が促進されている。また、第一回転ドラム１０の内周部に配置された散水装置４によって、処理物が透孔１１，２１を通過しやすく、また、筒軸方向端部の排出部Ａ，Ｂへ向かいやすいように配慮されている。
【００３４】
さらに、この実施形態では、第一回転ドラム１０、第二回転ドラム２０の二つの回転ドラムを用いて、第一排出部Ａ、第二排出部Ｂ、第三排出部Ｃの３つの排出部を設定し、中間の粒径である第二排出部Ｂから排出される処理物を、大径粒度の第一排出部Ａ側又は小径粒度の第三排出部Ｃ側へ切り替える構成としたが、例えば、使用する回転ドラムの数を三つ以上とすることもできる。これにより、設定する粒径の境界をさらに多段階に幅広く設定できる。
【００３５】
例えば、第一回転ドラム１０、第二回転ドラム２０とは別に、第一回転ドラム１０と第二回転ドラム２０との間に別の回転ドラム（第三回転ドラム）を配置し、第三回転ドラムが備える第三の透孔群の最大径を、第一の透孔群の最大径ｗ１と第二の透孔群の最大径ｗ２との間のｗ３に設定する（ｗ１＞ｗ３＞ｗ２）。これにより、各排出部から排出される処理物の粒径を、最も内周側に位置する第一排出部Ａ（粒径≧ｗ１）、最も外周側に位置する第三排出部Ｃ（ｗ２＞粒径）と設定するとともに、その中間に位置する第二排出部Ｂを、処理物の粒径に応じて、大径排出部（ｗ１＞粒径≧ｗ３）と小径排出部（ｗ３＞粒径≧ｗ２）の２つに分割する。
【００３６】
そして、第二排出部Ｂから排出される処理物に関し、大径排出部（ｗ１＞粒径≧ｗ３）と小径排出部（ｗ３＞粒径≧ｗ２）をともに大径粒度の第一排出部Ａ（粒径≧ｗ１）側又は小径粒度の第三排出部Ｃ（ｗ２＞粒径）側へ切り替えるか、あるいは、大径排出部（ｗ１＞粒径≧ｗ３）から排出される処理物のみを第一排出部Ａ（粒径≧ｗ１）側へ且つ小径排出部（ｗ３＞粒径≧ｗ２）から排出される処理物のみを小径粒度の第三排出部Ｃ（ｗ２＞粒径）側へ切り替える構成とすることで、篩機１で２つに選別される処理物の粒径の境界を、ｗ１、ｗ３、ｗ２の３段階に容易に切り替えることができる。
【００３７】
他の実施形態を図３（ａ）に示す。この実施形態は、切替手段３０が、第二排出部Ｂから排出された処理物を、第一シュートＸ及び第二シュートＹとは別の第三シュートＺへ導く機能を有するようにしたものである。
【００３８】
すなわち、切替手段３０は、第一排出部Ａ、第二排出部Ｂ、第三排出部Ｃの３つの排出部のうち、中間の粒径である第二排出部Ｂから排出される処理物を、大径粒度の第一排出部Ａ側の第一シュートＸ、又は、小径粒度の第三排出部Ｃ側の第二シュートＹへ切り替える設定（以下、「選択設定」と称する）とするとともに、さらなる追加の切り替え機能として、第二排出部Ｂから排出される処理物を第一シュートＸや第二シュートＹとは別の第三シュートＺへ導かれるように切り替える設定（以下、「独立設定」と称する）とすることができる。これにより、図３（ｂ）に示す参考例の場合と同じように、第二排出部Ｂから排出される処理物を、第一排出部Ａ、第三排出部Ｃとは独立して篩い分ける設定も可能となる。
【００３９】
切替手段３０の具体的な構成として、例えば、図３（ａ）では、第二排出部Ｂから排出される処理物を、大径粒度の第一排出部Ａ側の第一シュートＸ、又は、小径粒度の第三排出部Ｃ側の第二シュートＹへ切り替える第一の切替手段３０ａと、その第一の切替手段３０ａの下方（下流側）に設けられる第二の切替手段３０ｂ、第三の切替手段３０ｃを備える構成としている。
【００４０】
第一の切替手段３０ａ、第二の切替手段３０ｂ、第三の切替手段３０ｃは、それぞれ前述の実施形態と同様、例えば、アクチュエータ３２によって動作する誘導板３１ａ，３１ｂ，３１ｃによって、処理物の導かれる方向を設定する構成とすることができる。
【００４１】
第一の切替手段３０ａの側方両側には隔壁４１，４２が設けられている。また、第二の切替手段３０ｂと第三の切替手段３０ｃの間には、隔壁４３が設けられている。
【００４２】
まず、選択設定では、第二の切替手段３０ｂの誘導板３１ｂは、図中に鎖線で示すように、その先端が、中央の隔壁４３側に傾倒した状態とされる。また、第三の切替手段３０ｃの誘導板３１ｃは、同じく、その先端が隔壁４３側に傾倒した状態とされる。
【００４３】
この選択設定において、第二排出部Ｂからの処理物を第一シュートＸに導く設定とする場合、第一の切替手段３０ａが第一排出部Ａ側に設定された状態、すなわち、誘導板３１ａの先端が図中右側の隔壁４２側に傾倒した状態とする。これにより、第二排出部Ｂからの処理物は、第二の切替手段３０ｂの誘導板３１ｂによって、隔壁４１よりも図中左側の第一シュートＸへ導かれる。このとき、第三の切替手段３０ｃの誘導板３１ｃは、図中実線で示すように、隔壁４３側から離れた位置であってもよい。
【００４４】
また、選択設定において、第二排出部Ｂからの処理物を第二シュートＹに導く設定とする場合、第一の切替手段３０ａが第三排出部Ｃ側に設定された状態、すなわち、誘導板３１ａの先端が図中左側の隔壁４１側に傾倒した状態とする。これにより、第二排出部Ｂからの処理物は、第三の切替手段３０ｃの誘導板３１ｃによって、隔壁４２よりも図中右側の第二シュートＹへ導かれる。このとき、第二の切替手段３０ｂの誘導板３１ｂは、図中実線で示すように、隔壁４３側から離れた位置であってもよい。
【００４５】
つぎに、独立設定では、第二の切替手段３０ｂの誘導板３１ｂは、図中に実線で示すように、その先端が、中央の隔壁４３側から離れた位置（直立状態）とされる。また、第三の切替手段３０ｃの誘導板３１ｃも、同じく、その先端が隔壁４３側から離れた位置（直立状態）とされる。
【００４６】
これにより、第二排出部Ｂからの処理物は、第二の切替手段３０ｂの誘導板３１ｂと第三の切替手段３０ｃの誘導板３１ｃによって挟まれた空間を通って、隔壁４１，４２間の第三シュートＺへ導かれる。このとき、第一の切替手段３０ａの誘導板３１ａは、図中実線で示す隔壁４２側へ傾倒した位置であってもよいし、図中鎖線で示す隔壁４１側へ傾倒した位置であってもよい。あるいは、誘導板３１ａは、図中実線で示す位置と図中鎖線で示す位置との間の中間位置（直立状態）であってもよい。
【００４７】
さらに、他の実施形態を図４に示す。この実施形態は、切替手段３０が、第二排出部Ｂから排出された処理物を、第一シュートＸ及び第二シュートＹとは別の第三シュートＺへ導く機能を有する点は、図３の実施形態と同様である。
【００４８】
切替手段３０は、第一排出部Ａ、第二排出部Ｂ、第三排出部Ｃの３つの排出部のうち、中間の粒径である第二排出部Ｂから排出される処理物を、大径粒度の第一排出部Ａ側の第一シュートＸ、又は、小径粒度の第三排出部Ｃ側の第二シュートＹへ切り替える選択設定とするとともに、さらなる追加の切り替え機能として、第二排出部Ｂから排出される処理物を第一シュートＸや第二シュートＹとは別の第三シュートＺへ導かれるように切り替える独立設定とすることができる。
【００４９】
切替手段３０は、図４に示すように、第二排出部Ｂから排出される処理物を、大径粒度の第一排出部Ａ側の第一シュートＸ、又は、小径粒度の第三排出部Ｃ側の第二シュートＹへ切り替える第四の切替手段３０ｄと、その第四の切替手段３０ｄの下方（下流側）に設けられる第五の切替手段３０ｅを備える構成としている。
【００５０】
第四の切替手段３０ｄ、第五の切替手段３０ｅは、それぞれ前述の実施形態と同様、例えば、アクチュエータによって動作する誘導板３１ｄ，３１ｅによって、処理物の導かれる方向を設定する構成とすることができる。また、第四の切替手段３０ｄ、第五の切替手段３０ｅの側方両側には、隔壁４１，４２が設けられている。
【００５１】
選択設定では、第二排出部Ｂからの処理物を第一シュートＸに導く設定とする場合、第四の切替手段３０ｄが第一排出部Ａ側に設定された状態、すなわち、誘導板３１ｄの先端が図中右側の隔壁４２側に傾倒した状態とする。これにより、第二排出部Ｂからの処理物は、第四の切替手段３０ｄの誘導板３１ｄによって、隔壁４１よりも図中左側の第一シュートＸへ導かれる。このとき、第五の切替手段３０ｅの誘導板３１ｅは、どの位置であってもよい。
【００５２】
また、選択設定において、第二排出部Ｂからの処理物を第二シュートＹに導く設定とする場合、第四の切替手段３０ｄ及び第五の切替手段３０ｅが第三排出部Ｃ側に設定された状態、すなわち、誘導板３１ｄはその先端が図中左側の隔壁４１側に沿う直立状態とされ、誘導板３１ｅはその先端が図中左側の隔壁４１側に傾倒した状態とされる。これにより、第二排出部Ｂからの処理物は、第五の切替手段３０ｅの誘導板３１ｅによって、隔壁４２よりも図中右側の第二シュートＹへ導かれる。
【００５３】
つぎに、独立設定では、第四の切替手段３０ｄの誘導板３１ｄは、その先端が図中左側の隔壁４１側に沿う直立状態とされ、第五の切替手段３０ｅの誘導板３１ｅも、その先端が図中右側の隔壁４２側に沿う直立状態とされる。
【００５４】
これにより、第二排出部Ｂからの処理物は、第四の切替手段３０ｄの誘導板３１ｄと第五の切替手段３０ｅの誘導板３１ｅ、及び、隔壁４１，４２によって挟まれた空間を通って、その隔壁４１，４２間の下方の第三シュートＺへ導かれる。
【００５５】
上記の実施形態では、篩機１をボールミルＭの下流側に備えたが、この実施形態には限定されず、篩機１の上流側あるいは下流側に配置される装置は、用途や仕様に応じて適宜選択できる。例えば、篩機１の投入部２に、ロッドミル等の他の種別の粉砕機、破砕機の排出部を接続して、その処理物を篩機１内に投入するようにしてもよい。特に、この発明のような数種類の粒径に選別する篩機１の機能は、ボールミルＭよりも荒めの破砕に用いられるロッドミルからの処理物において好適である。
【符号の説明】
【００５６】
１  篩機
２  投入部
３  端面板
１０  第一回転ドラム
１１  第一の透孔群
２０  第二回転ドラム
２１  第二の透孔群
３０  切替手段
３１  誘導板
３２  アクチュエータ
４１，４２，４３  隔壁
Ａ  第一排出部
Ｂ  第二排出部
Ｃ  第三排出部
Ｘ  第一シュート
Ｙ  第二シュート
Ｚ  第三シュート
【図１】
2019093314.tif 000003
【図２】
2019093314.tif 000004
【図３】
2019093314.tif 000005
【図４】
2019093314.tif 000006